【事件の表示】
　特願２００７−５３５８８１「異なる厚みを持つゴルフクラブヘッド」拒絶査定不服審判事件〔平成１８年　４月２０日国際公開、ＷＯ２００６／０４２２０４、平成２０年　５月１５日国内公表、特表２００８−５１５５６０〕について、次のとおり審決する。
【結　論】
　本件審判の請求は、成り立たない。
【理　由】
１　手続の経緯
　本願は、２００５年１０月６日（パリ条約による優先権主張外国庁受理：２００４年１０月７日、２００４年１１月４日、米国）を国際出願日とする出願であって、平成２０年１０月３日付け及び平成２３年７月２５日付けで手続補正がなされ、同年１２月２６日付けで拒絶査定がなされ、これに対し、平成２４年４月５日付けで拒絶査定に対する審判請求がなされたものである。
　
２　本願発明
　本願請求項１ないし４に係る発明は、平成２３年７月２５日付け手続補正後の特許請求の範囲の請求項１ないし４に記載された事項により特定されるとおりのものであり、その請求項１に係る発明（以下「本願発明」という。）は、以下のとおりである。
「クラウン、ソール、及び中空内部を持つボディと前記ボディ上に配設されるフェースを備えるゴルフクラブヘッドであって；
　前記フェースは、周縁を画成する縁区域、ヒール側に垂直方向に延びるヒール垂直区域、トオ側に垂直方向に延びるトオ垂直区域及び前記ヒール垂直区域とトオ垂直区域に連結している中央水平区域を有すると共に、前記ヒール垂直区域と前記トオ垂直区域の間で且つ前記中央水平区域の上部に位置する上部中央領域、前記ヒール垂直区域と前記トオ垂直区域の間で且つ前記中央水平区域の下部に位置する下部中央領域、前記ヒール垂直区域のヒール側に位置するヒール領域及び前記トオ垂直区域のトオ側に位置するトオ領域を有し、
　前記ヒール垂直区域及び前記トオ垂直区域の各々は前記周縁の頂部から下部に亘り延び、前記ヒール垂直区域、前記トオ垂直区域及び前記中央水平区域は、H字状をなし、
　前記縁区域、ヒール垂直区域、トオ垂直区域及び中央水平区域の各々は第１厚みを持ち、前記上部中央領域、下部中央領域、ヒール領域及びトオ領域の各々は第２厚みを持ち、前記第１厚みは前記第２厚みより少なくとも0.025インチ（0.64mm)だけ大きく、
　ゴルフクラブヘッドは385cm3〜475cm3の範囲の体積と、170グラム〜250グラムの範囲の質量と、0.82〜0.875の範囲の反発係数を持つ、
ゴルフクラブヘッド。」
　
３　引用刊行物
（１）原査定の拒絶の理由に引用され、本願の最先の優先権主張日前に頒布された特開平１０−２５８１４２号公報（以下「刊行物１」という。）には、以下の記載が図とともにある。（下線は審決で付した。以下同じ。）
　ア　【００１４】そこで本発明の目的は、比較的簡単な構成によりゴルフクラブのヘッド、特にそのフェースを充分な強度を維持しながら軽量化することを可能とし、しかもフェースの反発力を増大することでボールの飛距離を向上し得るゴルフクラブのヘッドを提供することを目的とする。
【００１５】
【課題を解決するための手段】上記目的を達成するために、本発明のゴルフクラブのヘッドは、典型的には、例えばウッド系金属製中空ヘッド、中空アイアン等、少なくともヘッド１０のフェース１２を金属により形成して成るゴルフクラブのヘッド１０において、前記フェース１２の裏面自体に、スウィートスポットに対応する位置を交点ないし中心とし、前記フェース１２の周縁方向に延びる例えば、Ｘ字状、Ｙ字状、Ｖ放字状、放射状等の厚肉部２０（ｂ）を形成し、あるいは、典型的には、中空アイアンとして形成されるクラブヘッドにあっては、前記フェース１２の裏面自体に限らず、このフェース１２の裏面に対峙する、クラブヘッドの前記フェースの反対側に上記厚肉部を形成した謂わばバックフェースでクラブヘッドの前記フェース反対側を被蓋するように前記厚肉部２０を配置したことを特徴とする。一般のアイアイン系クラブにも、そのフェース裏面に対して前記と同様、適用可能であることは言うまでもない。
　イ　【００１９】図１中、１０は本発明のゴルフクラブのヘッドを示す。この
ゴルフクラブのヘッド１０は、ボールを打撃するフェース１２、ヘッドの上面を形成するクラウン１４、ヘッドの底面を形成するソール１６
を備える
　ウ　【００２５】図３は、前記ヘッドのフェースの裏面を示すものであり、図３に示すように本実施形態の
フェース１２はその裏面において肉厚を変化させて
フェース１２の裏面の周端とスウィートスポットが交点ないし中心としてフェース１２の周端方向に延びる放射状の厚肉部２０を形成する
【００２６】この厚肉部２０は、フェース１２の裏面を切削し、又は所望の凹凸形状に例えば鋳造する等してフェース１２の肉厚を変化させたものであり、本実施形態にあってはこの厚肉部をフェース１２の裏面の周端２０ａとスウィートスポットが交点となる略Ｘ字状の厚肉部２０ｂに形成している。
【００２７】この厚肉部２０ｂの形状は、本実施形態では、上級者向けを意識してフェース１２中央よりクラウン１４側に位置するスウィートスポットに対応する位置を交点あるいは中心として例えば、三方又は五方向以上に延びる放射状の形状とすることもできるが、厚肉部分が少ないと反発力の増加が少なく、また、厚肉部をあまりに多くとるとフェース１２の重量が増加することから、本実施の形態にあっては前述のように
フェースの裏面のスウィートスポットに対応する位置からフェース１２の幅方向の周端で、略トウ側、ネック側のフェース１２のクラウン１４、ソール１６との境界近傍となる上下４箇所に端縁が延びるＸ字状とした
【００２８】また、本発明の実施形態にあっては、フェース１２の裏面の周端を約３．０〜４．０mm幅、ここでは、４mmで厚肉部２０ａを形成し、この
フェース１２裏面の周端の厚肉部２０ａと前記Ｘ字状に形成された厚肉部２０ｂを同一の厚みで連続する一連の厚肉部２０として形成している
【００２９】以上のように構成された本実施形態におけるフェース１２の裏面は、
Ｘ字状に形成された厚肉部２０ｂと、裏面の周端に形成された前記厚肉部２０ａにより相対的に画定される
４つの凹部２２，２４，２６，２８が形成され
【００３０】この凹部のうち図３中、フェース１２の高さ方向で、上方、クラウン１４側の凹部２２及び下方、ソール１６側の凹部２４は、凹部２２，２４の内方に向かって順次面積を減少する相似形に肉厚を減少するように構成してあり、従って、該段階的に肉厚が減少することにより段部２２ａ，２２ｂ，２２ｃ及び２４ａ，２４ｃが形成されている。
【００３１】すなわち、本実施形態にあっては、
各凹部２２，２４，２６，２８の厚みを最も厚みのある部分を厚肉部２０ｂと同様４．０mm、
段部２２ａを３．６mm、段部２２ｂを３．３mm、フェース１２に最も近い薄肉となる段部２２ｃを、凹部２６、２８と同様、３．０mmとし、凹部２４においては
最も厚みのある段部２４ａを３．４mmに形成し、フェース１２に最も近い薄肉となるその他の部分２４ｃの肉厚を３．０mmとした
　エ　【００３５】また、前記凹部２２，２４の厚みの変化は、図３中フェースの幅方向に画定形成された凹部２６，２８においても形成することができるが、本発明の実施の形態にあっては可及的にフェース１２の重量を軽減することと相俟ち、打球の左右の方向性を安定すべくこれら
凹部２６，２８には段差を設けていない
　オ　【図２】から、
クラウン１４及びソール１６で中空部を形成し、フェース１２は、クラウン１４及びソール１６からなる部分上に配設されている
　カ　上記ウ、【図２】及び【図３】から、フェース１２の形状は以下のようになっていることが看取できる。
・
Ｘ字状に形成された厚肉部２０ｂは、スウィートスポットに対応する部分（以下「スウィートスポット部」という。）と、スウィートスポット部のヒール側端からヒール側のクラウン１４、ソール１６との境界近傍となる上下に端縁が延びる部分（以下「ヒール側上下区域」という。）と、スウィートスポット部からトウ側のクラウン１４、ソール１６との境界近傍となる上下に端縁が延びる部分（以下「トウ側上下区域」という。）からなる
・
凹部２２（以下「上部凹部２２」という。）は、ヒール側上下区域とトウ側上下区域の間でかつスウィートスポット部の上部に位置しており、凹部２４（以下「下部凹部２４」という。）は、ヒール側上下区域とトウ側上下区域の間でかつスウィートスポット部の下部に位置している
・
凹部２６（以下「ヒール側凹部２６」という。）は、ヒール側上下区域のヒール側に位置し、凹部２８（以下「トウ側凹部２８」という。）は、トウ側上下区域のトウ側に位置している
　
　キ　上記記載及び図面を含む刊行物１全体の記載から、刊行物１には、以下の発明が記載されていると認められる。
「ボールを打撃するフェース１２、ヘッドの上面を形成するクラウン１４、ヘッドの底面を形成するソール１６を備えるゴルフクラブのヘッド１０であって、
　前記クラウン１４及びソール１６で中空部を形成し、フェース１２は、クラウン１４及びソール１６からなる部分上に配設され、
　前記フェース１２はその裏面において肉厚を変化させて、フェース１２の裏面の周端とスウィートスポットが交点ないし中心としてフェース１２の周端方向に延びる放射状の厚肉部２０を形成するものであり、
　フェース１２裏面の周端の厚肉部２０ａと前記Ｘ字状に形成された厚肉部２０ｂを同一の厚みで連続する一連の厚肉部２０として形成し、
　前記Ｘ字状に形成された厚肉部２０ｂは、スウィートスポット部と、スウィートスポット部のヒール側端からヒール側のクラウン１４、ソール１６との境界近傍となる上下に端縁が延びるヒール側上下区域と、スウィートスポット部からトウ側のクラウン１４、ソール１６との境界近傍となる上下に端縁が延びるトウ側上下区域からなり、
　上部凹部２２は、ヒール側上下区域とトウ側上下区域の間でかつスウィートスポット部の上部に位置しており、下部凹部２４は、ヒール側上下区域とトウ側上下区域の間でかつスウィートスポット部の下部に位置し、ヒール側凹部２６は、ヒール側上下区域のヒール側に位置し、トウ側凹部２８は、トウ側上下区域のトウ側に位置し、
　前記Ｘ字状に形成された厚肉部２０ｂの厚みを４．０mmとし、上部凹部２２には、３．６mmの段部２２ａ、３．３mmの段部２２ｂ、３．０mmの段部２２ｃが形成され、下部凹部２４には、３．４mmの段部２４ａ、３．０mmの部分２４ｃが形成され、ヒール側凹部２６及びトウ側凹部２８には段差を設けず、３．０mmとした
ゴルフクラブのヘッド１０。」（以下「引用発明」という。）
　
４　対比
（１）本願発明と引用発明とを比較すると、引用発明の「クラウン１４」、「ソール１６」、「フェース１２」、「中空部」、「『クラウン１４』、『ソール１６』」、「ゴルフクラブのヘッド１０」、「周端の厚肉部２０ａ」、「スウィートスポット部」、「上部凹部２２」、「下部凹部２４」、「ヒール側凹部２６」及び「トウ側凹部２８」は、それぞれ本願発明の「クラウン」、「ソール」、「フェース」、「中空内部」、「ボディ」、「ゴルフクラブヘッド」、「縁区域」、「中央水平区域」、「上部中央領域」、「下部中央領域」、「ヒール領域」及び「トオ領域」に相当する。
（２）引用発明は「ボールを打撃するフェース１２、ヘッドの上面を形成するクラウン１４、ヘッドの底面を形成するソール１６を備えるゴルフクラブのヘッド１０であって」、「前記クラウン１４及びソール１６で中空部を形成し、フェース１２は、クラウン１４及びソール１６からなる部分上に配設され」ているから、クラウン、ソール、及び中空内部を持つボディと前記ボディ上に配設されるフェースを備えるゴルフクラブヘッドといえる。
（３）引用発明の「周端の厚肉部２０ａ」が周縁を画成することは明らかである。
　引用発明の「ヒール側上下区域」は「スウィートスポット部のヒール側端からヒール側のクラウン１４、ソール１６との境界近傍となる上下に端縁が延びる」から、本願発明の「ヒール側に垂直方向に延びるヒール垂直区域」とは、ヒール側に上下方向に延びるヒール区域の点で共通する。
　引用発明の「トウ側上下区域」は「スウィートスポット部からトウ側のクラウン１４、ソール１６との境界近傍となる上下に端縁が延びる」から、本願発明の「トオ側に垂直方向に延びるトオ垂直区域」とは、トオ側に上下方向に延びるトオ区域の点で共通する。
　引用発明は「ヒール側上下区域」が「スウィートスポット部のヒール側端からヒール側のクラウン１４、ソール１６との境界近傍となる上下に端縁が延びる」ものであり、「トウ側上下区域」が「スウィートスポット部からトウ側のクラウン１４、ソール１６との境界近傍となる上下に端縁が延びる」ものであり、「ヒール側上下区域」と「トウ側上下区域」に「スウィートスポット部」が連結しているから、引用発明の「スウィートスポット部」と本願発明の「中央水平区域」とは、ヒール区域とトオ区域に連結している点で共通する。
　引用発明は「上部凹部２２」が「ヒール側上下区域とトウ側上下区域の間でかつスウィートスポット部の上部に位置しており、「下部凹部２４」が「ヒール側上下区域とトウ側上下区域の間でかつスウィートスポット部の下部に位置」するから、引用発明の「上部凹部２２」及び「下部凹部２４」と本願発明の「前記ヒール垂直区域と前記トオ垂直区域の間で且つ前記中央水平区域の上部に位置する上部中央領域、前記ヒール垂直区域と前記トオ垂直区域の間で且つ前記中央水平区域の下部に位置する下部中央領域」とは、ヒール区域とトオ区域の間で且つ中央水平区域の上部に位置する上部中央領域、前記ヒール区域と前記トオ区域の間で且つ前記中央水平区域の下部に位置する下部中央領域の点で共通する。
　引用発明は「ヒール側凹部２６」が「ヒール側上下区域のヒール側に位置し」、「トウ側凹部２８」が「トウ側上下区域のトウ側に位置」するから、引用発明の「ヒール側凹部２６」及び「トウ側凹部２８」と本願発明の「前記ヒール垂直区域のヒール側に位置するヒール領域及び前記トオ垂直区域のトオ側に位置するトオ領域」とは、ヒール区域のヒール側に位置するヒール領域及びトオ区域のトオ側に位置するトオ領域の点で共通する。
　よって、引用発明の「フェース１２」と本願発明の「フェース」とは、周縁を画成する縁区域、ヒール側に上下方向に延びるヒール区域、トオ側に上下方向に延びるトオ区域及び前記ヒール区域とトオ区域に連結している中央水平区域を有すると共に、前記ヒール区域と前記トオ区域の間で且つ前記中央水平区域の上部に位置する上部中央領域、前記ヒール区域と前記トオ区域の間で且つ前記中央水平区域の下部に位置する下部中央領域、前記ヒール区域のヒール側に位置するヒール領域及び前記トオ区域のトオ側に位置するトオ領域を有する点で共通する。
（４）上記（１）ないし（３）のとおり、引用発明は「Ｘ字状に形成された厚肉部２０ｂは、スウィートスポット部と、スウィートスポット部のヒール側端からヒール側のクラウン１４、ソール１６との境界近傍となる上下に端縁が延びるヒール側上下区域と、スウィートスポット部からトウ側のクラウン１４、ソール１６との境界近傍となる上下に端縁が延びるトウ側上下区域からな」るから、本願発明の「前記ヒール垂直区域及び前記トオ垂直区域の各々は前記周縁の頂部から下部に亘り延び、前記ヒール垂直区域、前記トオ垂直区域及び前記中央水平区域は、H字状をな」す点とは、ヒール区域及びトオ区域の各々は周縁の頂部から下部に亘り延び、前記ヒール区域、前記トオ区域及び中央水平区域は、特定の形状をなす点で共通する。
（５）引用発明は「フェース１２裏面の周端の厚肉部２０ａと前記Ｘ字状に形成された厚肉部２０ｂを同一の厚みで連続する一連の厚肉部２０として形成し」、「前記Ｘ字状に形成された厚肉部２０ｂの厚みを４．０mmとし、上部凹部２２には、３．６mmの段部２２ａ、３．３mmの段部２２ｂ、３．０mmの段部２２ｃが形成され、下部凹部２４には、３．４mmの段部２４ａ、３．０mmの部分２４ｃが形成され、ヒール側凹部２６及びトウ側凹部２８には段差を設けず、３．０mmとした」ものであり、「周端の厚肉部２０ａ」、「ヒール側上下区域」、「トウ側上下区域」及び「スウィートスポット部」は、いずれも４．０mmの厚みを有するものであり、「上部凹部２２」、「下部凹部２４」、「ヒール側凹部２６」及び「トウ側凹部２８」は、いずれも３．０mmの厚みの部分を有するから、本願発明の「前記縁区域、ヒール垂直区域、トオ垂直区域及び中央水平区域の各々は第１厚みを持ち、前記上部中央領域、下部中央領域、ヒール領域及びトオ領域の各々は第２厚みを持ち、前記第１厚みは前記第２厚みより少なくとも0.025インチ（0.64mm)だけ大きく」とは、縁区域、ヒール区域、トオ区域及び中央水平区域の各々は第１厚みを持ち、上部中央領域、下部中央領域、ヒール領域及びトオ領域の各々は第２厚みを持ち、前記第１厚みは前記第２厚みより少なくとも0.025インチ（0.64mm)だけ大きい点で共通する。
（６）（１）ないし（５）より、本願発明と引用発明とは、
「クラウン、ソール、及び中空内部を持つボディと前記ボディ上に配設されるフェースを備えるゴルフクラブヘッドであって；
　前記フェースは、周縁を画成する縁区域、ヒール側に上下方向に延びるヒール区域、トオ側に上下方向に延びるトオ区域及び前記ヒール区域とトオ区域に連結している中央水平区域を有すると共に、前記ヒール区域と前記トオ区域の間で且つ前記中央水平区域の上部に位置する上部中央領域、前記ヒール区域と前記トオ区域の間で且つ前記中央水平区域の下部に位置する下部中央領域、前記ヒール区域のヒール側に位置するヒール領域及び前記トオ区域のトオ側に位置するトオ領域を有し、
　前記ヒール区域及び前記トオ区域の各々は前記周縁の頂部から下部に亘り延び、前記ヒール区域、前記トオ区域及び前記中央水平区域は、特定の形状をなし、
　前記縁区域、ヒール区域、トオ区域及び中央水平区域の各々は第１厚みを持ち、前記上部中央領域、下部中央領域、ヒール領域及びトオ領域の各々は第２厚みを持ち、前記第１厚みは前記第２厚みより少なくとも0.025インチ（0.64mm)だけ大きい
ゴルフクラブヘッド。」
の点で一致し、以下の点で相違している。
［相違点１］ヒール区域及びトオ区域に関し、本願発明は「ヒール側に垂直方向に延びるヒール垂直区域」及び「トオ側に垂直方向に延びるトオ垂直区域」であるのに対し、引用発明は「上下に端縁が延びるヒール側上下区域」及び「上下に端縁が延びるトウ側上下区域」である点。
［相違点２］ヒール区域、トオ区域及び中央水平区域がなす形状、即ち、縁区域を除いた厚肉部の形状に関し、本願発明は「Ｈ字状」であるのに対し、引用発明は「Ｘ字状」である点。
［相違点３］本願発明は「385cm3〜475cm3の範囲の体積と、170グラム〜250グラムの範囲の質量と、0.82〜0.875の範囲の反発係数を持つ」と特定されているのに対し、引用発明の体積、質量及び反発係数は、明らかでない点。
　
５　判断
（１）上記相違点１及び２について検討する。
　ア　本願発明の「垂直方向に延びる」及び「Ｈ字状」の形状が必ずしも明確でないところ、平成２３年７月２５日付け意見書には、以下の記載がある。
「（２−２）各請求項における、フェース及びフェースインサートの各区域及び各領域についていかなるものであるか不明であるとのご指摘に関しまして、それぞれについて、実施例の記載との対応関係を明確にすべく、部位及び形状を明確にするための限定を加えました。
　なお、
請求項１
の発明は、本願図２Ａに記載された実施例に対応するものであり
(I）請求項１及び２に関し、
(i)「周囲区域」は、「周縁を画成する縁区域」であることを明確にいたしました。
(ii)「ヒール垂直区域」は、フェースの「ヒール側に
垂直方向に延びる
図２Ａ、段落００１９
(iii) 「トオ垂直区域」は、フェースの「トオ側に
垂直方向に延びる
図２Ａ、段落００１９
(iv) 「中央水平区域」は、「前記ヒール垂直区域とトオ垂直区域に連結している」「中央水平区域」であることを明確にいたしました（図２Ａ）。
(v）「上部中央領域」と「下部中央領域」については、それぞれ、「前記ヒール垂直区域と前記トオ垂直区域との間で且つ前記中央水平区域」の「上部」及び「下部」の領域であることを特定いたしました。
(vi) 「ヒール垂直区域」及び「トオ垂直区域」の各々は「前記周縁の頂部から下部に亘り延びている」点を明確にすると共に、ヒール垂直区域、トオ垂直区域及び中央水平区域は「
H字状
図２Ａ，段落００１９、段落００６０
　上記記載から、請求人の主張する本願発明の「垂直方向に延びる」及び「Ｈ字状」の根拠は、図２Ａ、段落００１９、段落００６０の記載によるものであり、本願発明は、図２Ａに記載された実施例に対応するものといえる。
　イ　本願明細書の段落００１９、段落００６０及び図２Ａの記載は以下のとおりである。
「【００１９】
　図２Ａに示されるように、第１厚み区域２００は、トオ垂直区域２２０，ヒール垂直区域２２２及び中央水平区域２２４を含む。ヒール垂直区域２２２とトオ垂直区域２２０は、好ましくは、
フェース４０の頂部縁240aからフェース４０の底部縁240bに延びている
「【００６０】
　表１は本発明のフェースインサート４０を持つゴルフクラブヘッドと均一の厚みのフェースインサートを持つゴルフクラブヘッドと比較したものである。両方のゴルフクラブヘッドはＵＳＧＡの特性時間の規則に合致するものである。Ｈ字形の第１の厚み区域２００を持つフェースインサート４０を持つゴルフクラブヘッド２０は比較のゴルフクラブヘッドの均一の厚みを持つゴルフクラブヘッドより２５%軽い質量を持ち、一方において、同様のＣＯＲと特性時間を持っている。」
「
」
　上記記載によると、本願発明の「ヒール垂直区域」及び「トオ垂直区域」は、フェース４０の頂部縁240aからフェース４０の底部縁240bに延びていればよく、直線的に延びる必要はなく、曲がって延びるものも含まれているものと認められ、そのように曲がって延びた「ヒール垂直区域」及び「トオ垂直区域」を有するものも「Ｈ字状」と称しているものと認められる。
　ウ　また、本願明細書の段落【００１７】には「第１厚み区域２００が
”X”形
　エ　上記イ及びウから、図２Ａに示すような形状を「Ｈ字状」と称するか「Ｘ字状」と称するかは呼称上の相違にすぎず、本願発明の「Ｈ字状」には、Ｘ字状も含まれているものといえるから、相違点１及び２は実質的な相違点ではない。
　
（２）相違点３について検討する。
　ア　本願明細書において、ゴルフクラブヘッドの体積、質量及び反発係数に関する記載は以下のとおりである。
「【００２４】
  ゴルフクラブヘッドは全体として２０で示される。ゴルフクラブヘッド２０はボディ２２を有し、これはクラウン２４，ソール２６，リボン２８，前壁３０及び中空内部３４を含んでいる。ゴルフクラブヘッド２０は、ドライバーとして設計されるときは、好ましくは、２００立方センチメータ〜６００立方センチメータ、より好ましくは３００立方センチメータ〜５００立方センチメータ、最も好ましくは３８５立方センチメータ〜４７５立方センチメータの体積を持つ。ゴルフクラブヘッド２０は、好ましくは、２５０グラ以下の質量、最も好ましくは１７０グラム〜２５０グラムの質量を持つ。」
「【００５５】
  与えられたボールに対するＵＳＧＡのテスト条件による本発明のクラブヘッド２０の反発係数は約0.80〜0.94の範囲、より好ましくは0.82〜0.89、最も好ましくは0.86である。しかしながら、フェースの中心300ではＣＯＲが0.83未満となり、ゴルフクラブヘッド２０はＵＳＧＡの特性時間テストに適合することが好ましい。」
　上記記載によると、本願発明において、ゴルフクラブヘッドの体積、質量及び反発係数の数値限定に臨界的意義はない。
　イ　特開２００４−４１６８１号公報（本願の最先の優先権主張日前の平成１６年２月１２日公開）には、以下の記載がある。
「【００６２】
本発明のクラブヘッド２０の
反発係数
０．８６
【００６３】
本発明のクラブヘッド２０の
容積
４２０立方センチメートル
【００６４】
本発明のクラブヘッド２０の
重さ
１７５乃至２５０グラム
　上記記載のように、本願発明のゴルフクラブヘッドの体積、質量及び反発係数の数値は、本願の最先の優先権主張日前に普通に採用されていた数値といえる。
　ウ　よって、本願発明の上記相違点３に係る構成となすことは、設計事項に過ぎないものである。
　
（３）以上のとおりであるから、本願発明の上記相違点１ないし３に係る構成は、実質的な相違点とはいえないものであるか、刊行物１に記載された発明に基づいて当業者が容易に想到することができたものであり、それにより得られる効果も当業者が予測できる範囲のものである。
　
６　むすび
　以上のとおり、本願発明は、刊行物１に記載された発明に基づいて、当業者が容易に発明をすることができたものであり、特許法第２９条第２項の規定により特許を受けることができないから、他の請求項に係る発明を検討するまでもなく、本願は、拒絶されるべきものである。
　よって、結論のとおり審決する。